(57)【要約】      （修正有）【課題】製造における用材が従来より環境にやさしい上、製造過程が簡略で、使用寿命も長いラミネート金属板を提供する。【解決手段】金属板体と、それ自体の熱粘着性で前記金属板体の片面と接着したポリエチレン樹脂フィルムとで、ラミネート金属板を構成する。ラミネート金属板の構成に従来のＰＶＣ樹脂材料に代えてＰＥ樹脂材料を使用するので、リサイクルや廃棄物の処理におけるダイオキシン発生を避けることができ、環境によりやさしくなる。【選択図】図４
0003149550.tif 000002
【実用新案登録請求の範囲】
【請求項１】
金属板体と、
それ自体の熱粘着性で前記金属板体の片面と接着したポリエチレン樹脂フィルムとからなっていることを特徴とするラミネート金属板。
【請求項２】
透明材料から作り、且つ、その片面に化粧層が形成される上、該化粧層のある面で前記金属板体の前記片面と共に前記ポリエチレン樹脂フィルムを挟むようになった保護フィルムをさらに備えていることを特徴とする請求項１に記載のラミネート金属板。
【請求項３】
前記金属板体は、鋼で作られていることを特徴とする請求項２に記載のラミネート金属板。
【請求項４】
前記保護フィルムは、ポリエステルで作られることを特徴とする請求項３に記載のラミネート金属板。
【請求項５】
前記化粧層は、印刷によって前記保護フィルムに形成されていることを特徴とする請求項４に記載のラミネート金属板。
【請求項６】
前記化粧層は、メッキ加工によって前記保護フィルムに形成されていることを特徴とする請求項４に記載のラミネート金属板。
【考案の詳細な説明】
【技術分野】
【０００１】
本考案は、ラミネート金属板に関し、もっと詳しくは、基材とされる金属板の表面に樹脂フィルムが被覆されていて金属板を酸化や腐食から守る板材に関する。
【背景技術】
【０００２】
ラミネート金属板とは、基材とされる金属板の表面に樹脂フィルムが被覆されていて金属板を酸化や腐食から守る板材である。
【０００３】
従来のラミネート金属板は、通常、図１に示すように、金属板体１１と、金属板体１１の片面に塗布されて形成されている接着剤層１２と、接着剤層１２によって金属板体１１に貼り付けられているポリ塩化ビニール（polyvinyl chloride、ＰＶＣと呼ぶ）樹脂フィルム１３と、その片面に化粧層１４が形成され、且つ該面でポリ塩化ビニール樹脂フィルム１３と接着している保護フィルム１５とからなっている。
【０００４】
前記構成における用材のうち、ポリ塩化ビニール樹脂材料は、ダイオキシンの発生要因といわれる塩素を含んでいること、及び、人体に影響をもたらす可塑剤の溶出が可能であることから、環境に悪影響を与えるものとされ、その使用が多くの国で規制を課された。それに、接着剤１２の使用も同じく環境汚染の問題をきたすので、厳しく規制される上、段々と業界に敬遠されるようになってきた。
【０００５】
なお、前記従来のラミネート金属板の製造において、特に、金属板体１１とポリ塩化ビニール樹脂フィルム１３との結合は、図２から分かるように、先に金属板体１１の片面に接着剤１２を塗布（２０１）してから、該金属板体１１を加熱し（２０２）、そしてポリ塩化ビニール樹脂フィルム１３を貼り付ける（２０３）こととなっている。この接着剤の塗布による結合は、工程がやや複雑である上、接着剤の処理において空気の巻込みも可能であるため、空き巣を生じたり密着性を下げたりし、ラミネートに空気や水分が侵入して金属板の酸化や腐食をきたしやすく、製造の品質にも歩留まりにも悪影響を与える欠点がある。
【考案の概要】
【考案が解決しようとする課題】
【０００６】
前記問題点に鑑みて、本考案は、その製造における用材が従来より環境にやさしい上、製造過程が簡略で、使用寿命ももっと長いラミネート金属板を提供しようとすることを目的とする。
【課題を解決するための手段】
【０００７】
前記課題を達成するために、本考案は、金属板体と、それ自体の熱粘着性で前記金属板体の片面と接着したポリエチレン（polyethylene、ＰＥと呼ぶ）樹脂フィルムとからなっているラミネート金属板を提供する。
【０００８】
前記ラミネート金属板の好ましい実施形態として、透明材料から作り、且つ、その片面に化粧層が形成される上、該化粧層のある面で前記金属板体の前記片面と共に前記ポリエチレン樹脂フィルムを挟むようになった保護フィルムをさらに備えているものが挙げられる。
【０００９】
前記実施形態の例として、前記金属板体は、鋼で作られ、前記保護フィルムは、ポリエステルで作られ、前記化粧層は、印刷やメッキ加工によって前記保護フィルムに形成されていることなどが挙げられる。
【考案の効果】
【００１０】
本考案は、ラミネート金属板の構成に従来のＰＶＣ樹脂材料に代えてＰＥ樹脂材料を使用するので、リサイクルや廃棄物の処理におけるダイオキシン発生を避けることができ、環境によりやさしくなる。
【００１１】
また、本考案は、ラミネート金属板の構成に従来の接着剤層を省くので、製造コストの削減ができるほか、製品の歩留まりもすこぶるよくなる。
【図面の簡単な説明】
【００１２】
【図１】従来のラミネート金属板の断面図である。
【図２】金属板体１１とポリ塩化ビニール樹脂フィルム１３との結合を説明するフローチャットである。
【図３】本考案の実施例１のラミネート金属板の断面図である。
【図４】本考案の実施例２のラミネート金属板の断面図である。
【考案を実施するための形態】
【００１３】
以下、図３及び図４を参照しながら本考案のラミネート金属板の実施の形態について説明する。
【００１４】
これから、本考案の実施例１に係るラミネート金属板を説明する。
【実施例１】
【００１５】
実施例１のラミネート金属板は、図３に示すように、金属板体３１と、金属板体３１の上面と接着したポリエチレン樹脂フィルム３２とからなっているが、金属板体３１とポリエチレン樹脂フィルム３２とは、接着層が介在しているのではなく、ポリエチレン樹脂フィルム３２それ自体の熱粘着性で互いに粘着している。
【００１６】
もっと詳しく説明すると、金属板体３１とポリエチレン樹脂フィルム３２との結合は、金属板体３１を１５０℃〜２５０℃に加熱してから、ポリエチレン樹脂フィルムを金属板体３１の上面に敷設して押圧し、ポリエチレン樹脂フィルムの表面の、金属板体３１の高温による少々の溶融により直接に金属板体３１に貼り付けることとなっている。
【００１７】
前記結合と従来のラミネート金属板の結合とを比べるとわかるように、本実施例のラミネート金属板は、接着剤の塗布を省略したので、従来より加工過程が簡略であり、コストが低くなる。
【００１８】
また、本実施例のラミネート金属板は、金属板体３１とポリエチレン樹脂フィルム３２との間に空気を巻き込みやすい接着層が介在していないので、空き巣が生じない上、密着性も従来よりかなり高く、空気や水分の侵入やそれらによる酸化／腐食を防止することができる。
【００１９】
これから、本考案の実施形態例２に係るラミネート金属板を説明する。
【実施例２】
【００２０】
実施例２のラミネート金属板は、実施例１におけるラミネート金属板の構成を元とする上、透明材料から作った保護フィルム３３をさらに備えている。この実施例における透明材料は、ポリエステル（ＰＥＴ）を使用しているが、他の環境にやさしい非ＰＶＣプラスチックを使用しても良い。
【００２１】
保護フィルム３３は、図４に示すように、その下面に化粧層３４が形成される上、該下面でポリエチレン樹脂フィルム３２を挟むように、金属板体３１の上面と共に結合されているが、その施工は、まず下面に化粧層３４を形成してから、該下面でポリエチレン樹脂フィルム３２と粘着した後、始めて前記実施例１に記載している金属板体３１とポリエチレン樹脂フィルムとの結合を行うこととなっている。
【００２２】
前記のように構成されている本実施例のラミネート金属板は、実施例１が有する長所はもちろん、保護フィルム３３をさらに備えているので、その金属板が酸性またはアルカリ性物質の腐食から守られ、使用寿命をかなり向上させることができる。
【００２３】
ちなみに、化粧層３４とは、印刷やメッキ加工によって保護フィルム３３の下面に模様および／または色彩を付加し、ラミネート金属板全体を見栄えがよくなるようにするものをいう。
【００２４】
なお、前記二実施例のラミネート金属板における金属板体３１は、鋼で作られているが、アルミなど他の金属で作られても良い。
【産業上の利用可能性】
【００２５】
叙上のように、本考案のラミネート金属板は、従来のＰＶＣ樹脂材料に代えてＰＥ樹脂材料を使用し、それに環境問題を有する従来の接着剤層を省くので、各国の厳しい環境規制に制限されなく、生産及び使用ができる。
【００２６】
それに、本考案のラミネート金属板は、製造工程が従来より簡略され、製造コストの削減ができるほか、製品の品質や歩留まりもすこぶるよくなる。
【符号の説明】
【００２７】
３１  金属板体
３２  ポリエチレン樹脂フィルム
３３  保護フィルム
３４  化粧層
【図１】
0003149550.tif 000003
【図２】
0003149550.tif 000004
【図３】
0003149550.tif 000005
【図４】
0003149550.tif 000006